【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
基板と、
前記基板上に形成された位相差層とを有し、
前記位相差層は、面内における中央部の光軸を基準光軸として、周辺部における光軸が常温において前記基準光軸とは異なる方向に形成され、所定の温度にまで上昇した際に前記周辺部の光軸の方向が前記基準光軸に揃うように規定された
位相差板。
【請求項２】
前記位相差層は、前記位相差層の外形の対角線方向に位置する周辺部の光軸が、常温において前記基準光軸とは異なる方向に形成された
請求項１記載の位相差板。
【請求項３】
前記位相差層の前記周辺部の光軸が、第１の対角線方向では前記基準光軸に対して第１の回転方向にずれて形成され、前記第１の対角線と交差する第２の対角線方向では前記基準光軸に対して前記第１の回転方向とは逆向きの第２の回転方向にずれて形成された
請求項２記載の位相差板。
【請求項４】
基板と、
前記基板上に形成された第１の位相差層および第２の位相差層と
を有し、
前記第１および第２の位相差層は、面内における中央部の互いの光軸の交差角度を基準交差角度として、周辺部における交差角度が常温において前記基準交差角度とは異なって形成され、所定の温度にまで上昇した際に前記周辺部の交差角度が前記基準交差角度に略一致するように規定された
位相差板。
【請求項５】
前記第１および第２の位相差層は、前記第１および第２の位相差層の外形の対角線方向に位置する周辺部の光軸の交差角度が、常温において前記基準交差角度とは異なって形成された
請求項４記載の位相差板。
【請求項６】
前記周辺部の前記交差角度が、第１の対角線方向では前記基準交差角度よりも大きくなり、前記第１の対角線と交差する第２の対角線方向では前記基準交差角度よりも小さくなるように形成された
請求項５記載の位相差板。
【請求項７】
液晶層と、
前記液晶層の外側に配置された２つの基板と、
前記基板上に形成された第１の位相差層および第２の位相差層と
を有し、
前記第１および第２の位相差層は、面内における中央部の互いの光軸の交差角度を基準交差角度として、周辺部における交差角度が常温において前記基準交差角度とは異なって形成され、所定の温度にまで上昇した際に前記周辺部の交差角度が前記基準交差角度に略一致するように規定された
液晶パネル。
【請求項８】
前記第１および第２の位相差層は、前記第１および第２の位相差層の外形の対角線方向に位置する周辺部の光軸の交差角度が、常温において前記基準交差角度とは異なって形成された
請求項７記載の液晶パネル
【請求項９】
前記周辺部の前記交差角度が、第１の対角線方向では前記基準交差角度よりも大きくなり、前記第１の対角線と交差する第２の対角線方向では前記基準交差角度よりも小さくなるように形成された
請求項８記載の液晶パネル。
【請求項１０】
前記第１および第２の位相差層は、面内における中央部における光軸と周辺部における光軸との交差角度が常温において５°以内の角度範囲で異なって形成された
請求項７記載の液晶パネル。
【請求項１１】
前記第１および前記第２の位相差層は、法線方向におけるリタデーションが面内において１０ｎｍ以上８０ｎｍ以下となるように形成された
請求項７記載の液晶パネル。
【請求項１２】
前記第１の位相差層は、２つの前記基板のうちの一方の基板に形成され、
前記第２の位相差層は、他方の基板に形成された
請求項７記載の液晶パネル。
【請求項１３】
前記第１の位相差層および前記第２の位相差層の双方が、２つの前記基板のうちの一方の基板に形成された
請求項７記載の液晶パネル。
【請求項１４】
光源と、
前記光源からの光を変調する液晶パネルと、
前記液晶パネルにより変調された光を投射する投射手段とを有し、
前記液晶パネルは、前記液晶層の外側に配置された２つの基板と、前記基板上に形成された第１の位相差層および第２の位相差層とを有し、
前記第１および第２の位相差層は、面内における中央部の前記交差角度を基準交差角度として、周辺部における交差角度が常温において前記基準交差角度とは異なって形成され、所定の温度にまで上昇した際に前記周辺部の交差角度が前記基準交差角度に略一致するように規定された
投射型表示装置。
【手続補正２】
【補正対象書類名】明細書
【補正対象項目名】００１７
【補正方法】変更
【補正の内容】
【００１７】
上記の目的を達成するため、本発明の位相差板は、基板と、前記基板上に形成された位相差層とを有し、前記位相差層は、面内における中央部の光軸を基準光軸として、周辺部における光軸が常温において前記基準光軸とは異なる方向に形成され、所定の温度にまで上昇した際に前記周辺部の光軸の方向が前記基準光軸に揃うように規定されたものである。
【手続補正３】
【補正対象書類名】明細書
【補正対象項目名】００１８
【補正方法】変更
【補正の内容】
【００１８】
上記の本発明の位相差板では、位相差層は面内における中央部の光軸を基準光軸として、周辺部における光軸が常温において異なる方向に形成されている。ここで、位相差板に光が照射されると、使用状態において位相差板の温度が上昇し、位相差層の材料と基板の材料との線膨張係数の相違から、位相差層の光軸の向きが変化する。本発明では、使用状態における温度において位相差層の周辺部の光軸の方向が基準光軸に揃うように規定されている。
【手続補正４】
【補正対象書類名】明細書
【補正対象項目名】００１９
【補正方法】変更
【補正の内容】
【００１９】
上記の目的を達成するため、本発明の位相差板は、基板と、前記基板上に形成された第１の位相差層および第２の位相差層とを有し、前記第１および第２の位相差層は、面内における中央部の互いの光軸の交差角度を基準交差角度として、周辺部における交差角度が常温において前記基準交差角度とは異なって形成され、所定の温度にまで上昇した際に前記周辺部の交差角度が前記基準交差角度に略一致するように規定されたものである。
【手続補正５】
【補正対象書類名】明細書
【補正対象項目名】００２０
【補正方法】変更
【補正の内容】
【００２０】
上記の本発明の位相差板では、第１および第２の位相差層は面内における中央部の互いの光軸の交差角度を基準交差角度として、周辺部における交差角度が常温において異なって形成されている。ここで、位相差板に光が照射されると、使用状態において位相差板の温度が上昇し、位相差層の材料と基板の材料との線膨張係数の相違から、第１および第２の位相差層の光軸の向きが変化する。本発明では、使用状態における温度において、第１および第２の位相差層の周辺部における互いの光軸の交差角度が基準交差角度に略一致するように規定されている。
【手続補正６】
【補正対象書類名】明細書
【補正対象項目名】００２１
【補正方法】変更
【補正の内容】
【００２１】
上記の目的を達成するため、本発明の液晶パネルは、液晶層と、前記液晶層の外側に配置された２つの基板と、前記基板上に形成された第１の位相差層および第２の位相差層と
を有し、前記第１および第２の位相差層は、面内における中央部の互いの光軸の交差角度を基準交差角度として、周辺部における交差角度が常温において前記基準交差角度とは異なって形成され、所定の温度にまで上昇した際に前記周辺部の交差角度が前記基準交差角度に略一致するように規定されたものである。
【手続補正７】
【補正対象書類名】明細書
【補正対象項目名】００２２
【補正方法】変更
【補正の内容】
【００２２】
上記の本発明の液晶パネルでは、第１および第２の位相差層は、面内における中央部の互いの光軸の交差角度を基準交差角度として、周辺部における交差角度が常温において異なって形成され、所定の温度にまで上昇した際に周辺部における互いの光軸の交差角度が基準交差角度に略一致するように規定されている。
このため、使用状態においては第１および第２の位相差層の面内における位相差むらが抑制され、液晶層の面内において均一な光学補償がなされる。
【手続補正８】
【補正対象書類名】明細書
【補正対象項目名】００２３
【補正方法】変更
【補正の内容】
【００２３】
上記の目的を達成するため、本発明の投射型表示装置は、光源と、前記光源からの光を変調する液晶パネルと、前記液晶パネルにより変調された光を投射する投射手段とを有し、前記液晶パネルは、前記液晶層の外側に配置された２つの基板と、前記基板上に形成された第１の位相差層および第２の位相差層とを有し、前記第１および第２の位相差層は、面内における中央部の前記交差角度を基準交差角度として、周辺部における交差角度が常温において前記基準交差角度とは異なって形成され、所定の温度にまで上昇した際に前記周辺部の交差角度が前記基準交差角度に略一致するように規定されたものである。
【手続補正９】
【補正対象書類名】明細書
【補正対象項目名】００２４
【補正方法】変更
【補正の内容】
【００２４】
上記の本発明の投射型表示装置では、第１および第２の位相差層は、面内における中央部の互いの光軸の交差角度を基準交差角度として、周辺部における交差角度が常温において異なって形成され、所定の温度、すなわち投射時の温度にまで上昇した際に周辺部における互いの光軸の交差角度が基準交差角度に略一致するように規定されている。
このため、投射時においては第１および第２の位相差層の面内における位相差むらが抑制され、液晶層の面内において均一な光学補償がなされる。